(57)【要約】【課題】強度の点で問題が生じない汚泥かき寄せ機とする。【解決手段】沈殿槽８の中心部に配置される縦軸機構３と、この縦軸機構３から延出する延出部材４及びこの延出部材４に固定されて沈殿槽８底部の汚泥を掻き寄せるかき寄せ部材５が備えられたかき寄せ機構６と、このかき寄せ機構６を、縦軸機構３を軸として回転させる駆動手段７と、を備える。そして、縦軸機構３として、沈殿槽底面８ａ上に載置された非回転軸１と、この非回転軸１周りに同軸的に備えられた回転筒２と、を備え、この回転筒２から延出部材４を延出させ、駆動手段７は、非回転軸１上に備えて、この非回転軸１を軸として回転筒２を回転させ、これら各部材は全てプラスチック材料で構成されている。【選択図】図２
2007125451.tif 000002
【特許請求の範囲】
【請求項１】
沈殿槽に配置される縦軸機構と、この縦軸機構から延出するかき寄せ機構と、このかき寄せ機構を、前記縦軸機構を軸として回転させる駆動手段と、を有する汚泥かき寄せ機であって、
前記縦軸機構は、前記沈殿槽底面上に載置された非回転軸と、この非回転軸周りに備えられた回転部材と、を有し、
この回転部材から前記かき寄せ機構は延出し、
前記駆動手段は、前記非回転軸上に備えられて、この非回転軸を軸として前記回転部材を回転させ、これら各部材は全てプラスチック材料で構成されている、ことを特徴とする、汚泥かき寄せ機。
【請求項２】
沈殿槽中心部に配置される縦軸機構と、この縦軸機構から延出する断面が３角で中空構造の延出部材及びこの延出部材に固定されて前記沈殿槽底部の汚泥を掻き寄せるかき寄せ部材が備えられたかき寄せ機構と、このかき寄せ機構を、前記縦軸機構を軸として回転させる駆動手段と、を有する汚泥かき寄せ機であって、
前記縦軸機構は、前記沈殿槽底面上に載置された非回転軸と、この非回転軸周りに同軸的に備えられた回転筒と、を有し、
この回転筒から前記延出部材は延出し、
前記駆動手段は、前記非回転軸上に備えられて、この非回転軸を軸として前記回転筒を回転させる、ことを特徴とする汚泥かき寄せ機。
【請求項３】
前記延出部材は、前記沈殿槽底面に沿う横板を有し、この横板に前記かき寄せ部材が固定されている、請求項２記載の汚泥かき寄せ機。
【請求項４】
沈殿槽中心部に配置される縦軸機構と、この縦軸機構から延出する延出部材及びこの延出部材に固定されて前記沈殿槽底部の汚泥を掻き寄せるかき寄せ部材が備えられたかき寄せ機構と、このかき寄せ機構を、前記縦軸機構を軸として回転させる駆動手段と、を有する汚泥かき寄せ機であって、
前記延出部材は、前記沈殿槽底面に沿う横板を有し、この横板に前記かき寄せ部材が固定されている、ことを特徴とする汚泥かき寄せ機。
【請求項５】
前記延出部材の断面構造が、前記横板を底辺とする略三角形状になっている、請求項４記載の汚泥かき寄せ機。
【請求項６】
沈殿槽表面に浮上したスカムを掻き寄せるプラスチック部材で製作されたスカムかき寄せ部材と、このスカムかき寄せ部材に連動し回転するスカムパイプと、を有する、請求項１〜５のいずれか１項に記載の汚泥かき寄せ機。
【発明の詳細な説明】
【技術分野】
【０００１】
本発明は、沈殿槽底部に溜まった汚泥を掻き寄せる汚泥かき寄せ機に関するものである。
【背景技術】
【０００２】
この種の汚泥かき寄せ機としては、図１に示す形態のものがある。
この形態の汚泥かき寄せ機１００は、沈殿槽１０１の中心部に、鉛直（高さ方向、縦向き）に配置される回転軸１０２と、この回転軸１０２から横方向に延出するいわゆるレーキアーム等の延出部材１０３及びこの延出部材１０３に固定されて沈殿槽１０１底部の汚泥を掻き寄せるいわゆるレーキ等のかき寄せ部材１０４が備えられたかき寄せ機構１０５と、このかき寄せ機構１０５を、回転軸１０２を軸として回転させるモーター等の駆動手段１０６と、から主になる。
【０００３】
この従来の汚泥かき寄せ機１００においては、沈殿槽１０１の上面に、鋼製のブリッジ１０７が架設され、このブリッジ１０７の中心部に、駆動手段１０６が載置される。この駆動手段１０６は、駆動手段１０６の軸心部を貫通する回転軸１０２を垂直軸回りに回転させることで、この回転軸１０２から延出するかき寄せ機構１０５を回転させる。つまり、この従来の汚泥かき寄せ機１００は、ブリッジ１０７に吊り下げられた状態になっている（例えば、特許文献１参照）。
【０００４】
この従来の汚泥かき寄せ機１００は、性能が良く、実用化もされている。しかしながら、この従来の汚泥かき寄せ機１００は、直径が、例えば、１５ｍ以上と著しく大きな沈殿槽１０１に適用するには、改善の余地がある。
すなわち、従来の汚泥かき寄せ機１００を、径の大きな沈殿槽１０１に適用する場合は、中心部において汚泥かき寄せ機１００が吊り下げられるブリッジ１０７も、大きく、あるいは長くしなければならないため、強度の点で問題が生じるのである。
【特許文献１】特開平９−２９９７１３号公報
【発明の開示】
【発明が解決しようとする課題】
【０００５】
本発明が解決しようとする主たる課題は、強度の点で問題が生じない汚泥かき寄せ機を提供することにある。
【課題を解決するための手段】
【０００６】
この課題を解決した本発明は、次のとおりである。
〔請求項１記載の発明〕
沈殿槽に配置される縦軸機構と、この縦軸機構から延出するかき寄せ機構と、このかき寄せ機構を、前記縦軸機構を軸として回転させる駆動手段と、を有する汚泥かき寄せ機であって、
前記縦軸機構は、前記沈殿槽底面上に載置された非回転軸と、この非回転軸周りに備えられた回転部材と、を有し、
この回転部材から前記かき寄せ機構は延出し、
前記駆動手段は、前記非回転軸上に備えられて、この非回転軸を軸として前記回転部材を回転させ、これら各部材は全てプラスチック材料で構成されている、ことを特徴とする、汚泥かき寄せ機。
【０００７】
〔請求項２記載の発明〕
沈殿槽中心部に配置される縦軸機構と、この縦軸機構から延出する断面が３角で中空構造の延出部材及びこの延出部材に固定されて前記沈殿槽底部の汚泥を掻き寄せるかき寄せ部材が備えられたかき寄せ機構と、このかき寄せ機構を、前記縦軸機構を軸として回転させる駆動手段と、を有する汚泥かき寄せ機であって、
前記縦軸機構は、前記沈殿槽底面上に載置された非回転軸と、この非回転軸周りに同軸的に備えられた回転筒と、を有し、
この回転筒から前記延出部材は延出し、
前記駆動手段は、前記非回転軸上に備えられて、この非回転軸を軸として前記回転筒を回転させる、ことを特徴とする汚泥かき寄せ機。
【０００８】
〔請求項３記載の発明〕
前記延出部材は、前記沈殿槽底面に沿う横板を有し、この横板に前記かき寄せ部材が固定されている、請求項２記載の汚泥かき寄せ機。
【０００９】
〔請求項４記載の発明〕
沈殿槽中心部に配置される縦軸機構と、この縦軸機構から延出する延出部材及びこの延出部材に固定されて前記沈殿槽底部の汚泥を掻き寄せるかき寄せ部材が備えられたかき寄せ機構と、このかき寄せ機構を、前記縦軸機構を軸として回転させる駆動手段と、を有する汚泥かき寄せ機であって、
前記延出部材は、前記沈殿槽底面に沿う横板を有し、この横板に前記かき寄せ部材が固定されている、ことを特徴とする汚泥かき寄せ機。
【００１０】
〔請求項５記載の発明〕
前記延出部材の断面構造が、前記横板を底辺とする略三角形状になっている、請求項４記載の汚泥かき寄せ機。
【００１１】
〔請求項６記載の発明〕
沈殿槽表面に浮上したスカムを掻き寄せるプラスチック部材で製作されたスカムかき寄せ部材と、このスカムかき寄せ部材に連動し回転するスカムパイプと、を有する、請求項１〜５のいずれか１項に記載の汚泥かき寄せ機。
【発明の効果】
【００１２】
本発明によると、強度の点で問題が生じない汚泥かき寄せ機となる。
【発明を実施するための最良の形態】
【００１３】
次に、本発明の実施の形態を説明する。
図２に本形態の汚泥かき寄せ機１０の縦断面模式図を、図３にそのＩ−Ｉ線断面模式図を、それぞれ示した。
本形態の汚泥かき寄せ機１０は、沈殿槽８の中心部に配置される縦軸機構３と、この縦軸機構３から延出するレーキアーム等の延出部材４及びこの延出部材４に固定されて沈殿槽８底部の汚泥を掻き寄せるレーキ等のかき寄せ部材５が備えられたかき寄せ機構６と、このかき寄せ機構６を、縦軸機構３を軸として回転させるモーター等の駆動手段７と、を主に有する。
【００１４】
本形態の汚泥かき寄せ機１０が設置された沈殿槽８内においては、供給された汚水Ｐ中の汚泥分が、沈降して沈殿槽８の底部に溜まり、上澄み液と分離される。分離された上澄み液は、沈澱槽８の内周面上端側位置に設けられた越流堰１２を超えて（オーバーフロー）、沈澱槽８の外部に排出される。本越流堰１２は、例えば、ＰＶＣ樹脂等の樹脂からなる堰板等によって、覆うことができる。
【００１５】
沈澱槽８の底面８ａは、中心部が窪んだ逆円錐形状になっている。沈降して沈殿槽８の底部に溜まった汚泥は、かき寄せ部材５によって、沈殿槽底面８ａの中心部に向かって掻き寄せられる。沈殿槽底面８ａの中心部近傍まで掻き寄せられた汚泥は、沈殿槽底面８ａの中心部に設けられている環状溝たる集泥ピット９内に、集泥される。集泥ピット９内には、例えば、図示しないコーンスクレッパー等を設けることができる。集泥ピット９内に集泥された汚泥は、例えば、図示しない汚泥引抜管等を通して、外部に排出する。
【００１６】
本形態の縦軸機構３は、沈殿槽８の中心部、より詳細には沈殿槽底面８ａの集泥ピット９で囲まれる部位に載置された非回転軸１と、この非回転軸１の周りに同軸的に備えられた回転筒２と、から主になる。そして、図４に示すように、非回転軸１の上面１ａには、駆動手段７が載置されており、この駆動手段７が、伝達部材７Ａを回転させて、この伝達部材７Ａが固定された回転筒２を、非回転軸１を軸として回転させる。したがって、本形態の汚泥かき寄せ機１０は、自らは回転しない非回転軸１を介して、沈殿槽底面８ａの中心部に載置されることになるため、本汚泥かき寄せ機１０を吊り下げるためのブリッジ１０７（図１参照。）等が不要となり、径の大きな沈殿槽８に適用する場合においても、強度の点で問題が生じないものとなる。
【００１７】
本形態においては、非回転軸１の周りに筒状の回転筒２を同軸的に備え、この筒状の回転筒２が回転する形態としている。しかしながら、この非回転軸１の周りに備えられて回転する部材の形状は、筒状に限定されるものではない。駆動手段７から回転駆動力を受けて、延出部材４を回転することができるものであればよい。したがって、例えば、非回転軸１の周りにおいて上下方向に延在するように、先の伝達部材７に回転部材としての棒材を固定し、この棒材に延出部材４を固定した形態なども考えることができる。ただし、回転安定性や強度などの観点からは、筒状であるのが好ましい。
【００１８】
延出部材４は、回転筒２の適宜の位置に複数本が、本形態においては、回転筒２下端部の互いに対向する位置に２本が固定され、それぞれが沈澱槽８の半径方向に、沈殿槽８の内周面近傍まで延出（延在）している。延出部材４は、長尺であり、かなりの重さを有するため、延出部材４の中央部と回転筒２の中央部とを、ワイヤー１１で連結している。 
【００１９】
延出部材４の沈殿槽底面８ａ側には、それぞれ長手方向（半径方向）に離間して、複数枚の、図示例では６枚のかき寄せ部材５，５…が固定されている。回転筒２及び延出部材４の回転に伴って、かき寄せ部材５，５…が沈殿槽底面８ａに沿って移動することで、沈澱槽８の底部に溜まった汚泥が、沈澱槽８の中心部に向かって掻き寄せられる。
【００２０】
回転筒２に対する延出部材４の固定角度を可変としておけば、ワイヤー１１の長さを替えるのみで、かき寄せ部材５，５…を沈殿槽底面８ａに沿わせることができる。
【００２１】
ところで、延出部材４は、図５に示すように、沈殿槽底面８ａに沿う横板４Ａを有し、この横板４Ａにかき寄せ部材５，５…が固定されているのが好ましい。本汚泥かき寄せ機１０は、径の大きな沈殿槽８にも適用することができるが、径の大きな沈殿槽８に適用する場合は、当然、延出部材４も長くなり、汚泥から大きな負荷を受けることになる。しかしながら、沈殿槽底面８ａに沿う横板４Ａを有し、この横板４Ａにかき寄せ部材５，５…が固定されていると、かかる大きな負荷にも耐えることができる。
【００２２】
この横板４Ａを有する形態において、延出部材４の断面構造は、特に限定されない。例えば、横板４Ａを底辺とする略四角形状、略五角形状等の多角形状とすることもできる。ただし、本形態では、延出部材４の断面構造を、横板４Ａを底辺とする略三角形状としている。これにより、底辺以外の辺が汚泥から受ける力が、上方に逃げることになるため、より大きな負荷にも耐えうるものとなる。
【００２３】
（その他）
（１）本汚泥かき寄せ機１０の汚水内に位置する部材、例えば、非回転軸１、回転筒２、延出部材４、かき寄せ部材５、これらを連結するボルトやナット等の部材などは、例えば、繊維強化ポリエスデル樹脂等の繊維強化プラスチック製であるのが好ましい。繊維強化プラスチック製であると、強度、耐腐食性、軽量性に優れることになる。
【００２４】
（２）回転筒２には、汚水面上に浮上したスカムを掻き寄せるためのレーキ等のかき寄せ部材を取り付けることもできる。
【００２５】
（３）本形態においては、図６に示すように、沈殿槽８内において汚水Ｐ表面に浮上したスカムＦを掻き寄せるプラスチック部材で製作されたスカムかき寄せ部材２４と、このスカムかき寄せ部材２４に連動し回転するパイプスキマ２１と、を設けることができる。この形態においては、スカムかき寄せ部材２４はレール２３（バッフルプレート兼用）に沿って回転しており、スカムパイプ２１は固定となっている（図７の（１）参照）。ここで、図７の（２）に示すように、スカムかき寄せ部材２４がスカムパイプ２１を通過するときに、スカムかき寄せ部材２４に取り付けられたストライカー２５がスカムパイプ２１に取り付けてあるロッド２２を蹴り上げ、スカムパイプ２１を回転（転倒）させる。スカムパイプ２１には、図中に示すように、通常時において上方に開口する切欠部２１ａが形成されており、スカムかき寄せ部材２４に取り付けられたストライカー２１がスカムパイプ２１のロッド２２を蹴り上げてスカムパイプ２１を回転させ、汚水Ｐ表面に発生したスカムＦを呑込む構造となっている。
【産業上の利用可能性】
【００２６】
本発明は、沈殿槽底部に溜まった汚泥を掻き寄せる汚泥かき寄せ機として、適用可能である。
【図面の簡単な説明】
【００２７】
【図１】従来の汚泥かき寄せ機の縦断面模式図である。
【図２】本形態の汚泥かき寄せ機の縦断面模式図である。
【図３】図２のＩ−Ｉ線断面模式図である。
【図４】図３のＩＩ−ＩＩ線断面模式図の駆動手段部分である。
【図５】図３のＩＩＩ−ＩＩＩ線断面模式図のかき寄せ機構部分である。
【図６】スカム取込機構の平面図である。
【図７】スカム取込機構の原理説明図である。
【符号の説明】
【００２８】
１…非回転軸、２…回転筒、３…縦軸機構、４，１０３…延出部材、４Ａ…横板、５，１０４…かき寄せ部材、６，１０５…かき寄せ機構、７，１０６…駆動手段、８，１０１…沈殿槽、８ａ，１０１ａ…沈殿槽底面、１０，１００…汚泥かき寄せ機構、１１…ワイヤー、１２…越流堰、２１…パイプスキマ、２２…ロッド、２３…レール、２４…スカムかき寄せ部材、２５…ストライカー、１０７…ブリッジ、１０２…回転軸、Ｐ…汚水。
【図１】
2007125451.tif 000003
【図２】
2007125451.tif 000004
【図３】
2007125451.tif 000005
【図４】
2007125451.tif 000006
【図５】
2007125451.tif 000007
【図６】
2007125451.tif 000008
【図７】
2007125451.tif 000009